(57)【要約】      （修正有）【課題】装着時に通気性を確保することが可能な装着具を提供する。【解決手段】女性の乳房の被装着部に装着される装着具１０である。乳房の全体形状若しくは一部形状を模した外形を備える装着具本体２０と、装着具本体２０において、被装着部の表面に対向する対向部位（背面部２１）から間隔をおいた状態で突出する複数の凸部３０と凹部３２とからなる凹凸部３５を有する。そして、凸部３０の突出側の端部が被装着部の表面に当接する当接部を構成する。また、凹凸部３５を構成する凹部３２は上下方向に連通し、凹部３２の下方に向かって開放されることが好ましい。【選択図】図２
0003235605.tif 000002
【実用新案登録請求の範囲】
【請求項１】
乳房の切除手術が施された部位若しくは外傷を負った部位によって構成される被装着部に対して装着される装着具において、
前記乳房の全体形状若しくは一部形状を模した外形を備える装着具本体を備え、
前記装着具本体の前記被装着部の表面に対向する対向面には、二次元方向に連続的に間隔をおいて拡がる複数の凸部の群と、前記対向面において前記凸部が突出しない箇所によって構成される凹部とからなる凹凸部が形成され、
前記凸部の突出側の端部が前記被装着部の表面に当接する当接部を構成することを特徴とする装着具。
【請求項２】
前記凹凸部を構成する凹部は上下方向に連通する通路を構成することを特徴とする請求項１に記載の装着具。
【請求項３】
前記装着具本体を前記被装着部に装着した状態を基準として前記対向面の上縁部を含む前記上縁部寄りに、前記凸部を備えない特定部を備え、
前記特定部は前記被装着部の表面に当接する当接部を構成することを特徴とする請求項１又は２に記載の装着具。
【請求項４】
前記特定部の前記装着具本体を前記被装着部に装着した状態を基準とする上下幅は、前記対向面の上下幅の１／１０〜５／１０であることを特徴とする請求項３に記載の装着具。
【請求項５】
前記装着具本体を前記被装着部に装着した状態を基準として、少なくとも前記対向面の周縁部を含む前記周縁部寄りにおいて、前記凹凸部を構成する前記凸部の前記対向面からの突出長が、前記対向面の周縁部側に向かって徐々に小さくされることを特徴とする請求項１又は２に記載の装着具。
【請求項６】
前記周縁部は上縁部であることを特徴とする請求項５に記載の装着具。
【請求項７】
乳房の切除手術が施された部位若しくは外傷を負った部位によって構成される被装着部に対して装着される装着具において、
前記乳房の全体形状若しくは一部形状を模した外形を備える装着具本体と、前記装着具本体の前記被装着部に向く面に貼着される中間体とを備え、
前記中間体の前記被装着部の表面に対向する対向面には、二次元方向に連続的に間隔をおいて拡がる複数の凸部の群と、前記対向面において前記凸部が突出しない箇所によって構成される凹部とからなる凹凸部が形成され、
前記凸部の突出側の端部が前記被装着部の表面に当接する当接部を構成することを特徴とする装着具。
【請求項８】
前記中間体は薄板状で前記装着具本体の外形と同一又は前記外形と略同一の外形に構成されていることを特徴とする請求項７に記載の装着具。
【請求項９】
前記凹凸部を構成する前記凸部の前記対向面からの突出長が、１〜２５ｍｍから選択される長さであることを特徴とする請求項１〜８の何れか一項に記載の装着具。
【請求項１０】
前記凹凸部を構成する隣接する前記凸部の頂点の間隔は、１ｍｍ以上とし、前記凸部は前記対向面に３つ以上設けられていることを特徴とする請求項１〜９のいずれかに記載の装着具。
【請求項１１】
前記装着具は、ゴムを用いた成形体で構成されることを特徴とする請求項１〜１０のいずれかに記載の装着具。
【請求項１２】
前記ゴムは、シリコーンゴムであることを特徴とする請求項１１に記載の装着具。
【考案の詳細な説明】
【技術分野】
【０００１】
本考案は装着具に関する。例えば、乳がんの手術、事故等で乳房の一部若しくは全体を失った人が用いる装着具等に関する。
【背景技術】
【０００２】
乳がんの切除手術や、外傷等によって乳房の一部若しくは全体を失った場合には、女性の精神的な苦痛が非常に大きい。
このため、従来より、ゴム製若しくは樹脂製等の装着具（いわゆる人工乳房と称する商品）を、乳房の切除手術が施されて残存する部位や、事故等で損傷を生じた部位を対象部位（以下、被装着部という）として、あてがうように装着する。これによって、乳房全体の容姿を整え、女性の精神的な苦痛を和らげることが行われてきた（特許文献１を参照）。
【０００３】
より具体的に説明すると、軟質性素材（例えば、シリコーンゴム）等で構成される装着具が「被装着部」の形に合わせて形成される。そして、装着具を「被装着部（皮膚表面）」に装着する際に、専用の接着剤（医療用接着剤）で接着すること等が一般的に行われきた。しかも、装着具を装着した後において被装着部の皮膚表面との間に、ズレや脱落を生ずることを防止する目的で、当該装着具の装着対象となる「身体側の形状（つまり、被装着部の形状）」に十分に追随させ、被装着部に精度よく密着できる様に、当該装着具を形成・製造することが行われている。
【先行技術文献】
【特許文献】
【０００４】
【特許文献１】特開２００２−３４５８６０号公報
【考案の概要】
【考案が解決しようとする課題】
【０００５】
ところが、従来の装着具では装着することで、当該被装着部の表面（皮膚表面）の略全体が、吸湿性や通気性が乏しい素材（例えばシリコーンゴム等）によって、密着状態で覆われることとなっていた。そして、被装着部の皮膚表面において、発汗作用による汗等の体外放出や、皮膚呼吸等が阻害されることにより、当該被装着部の装着具との接触面（被装着部の表面）に「ムレ」等を発生し、当該接触面に皮膚疾患等の不具合を生じさせる原因になっていた。
また、従来の装着具によると、被装着部（皮膚表面）における体温調節という、「発汗作用自体の生理学機能」も阻害されること等の一因にもなってきた。このため、最終的に、これら（皮膚疾患、生理学機能の阻害等）が、装着具を装着した際、装着者に「不快感」を生じさせる大きな要因となっていた。
【０００６】
本考案は、上記問題点を解決するためになされたものであり、装着時に通気性を確保可能な装着具を提供することを目的とする。
【課題を解決するための手段】
【０００７】
上記の課題に鑑み、手段１では、乳房の切除手術が施された部位若しくは外傷を負った部位によって構成される被装着部に対して装着される装着具において、前記乳房の全体形状若しくは一部形状を模した外形を備える装着具本体を備え、前記装着具本体の前記被装着部の表面に対向する対向面には、二次元方向に連続的に間隔をおいて拡がる複数の凸部の群と、前記対向面において前記凸部が突出しない箇所によって構成される凹部とからなる凹凸部が形成され、前記凸部の突出側の端部が前記被装着部の表面に当接する当接部を構成するようにした。
【０００８】
このような装着具では、対向面に対して間隔をおいて突出する複数の凸部（複数の突起形状）と凹部を具備した凹凸部を備える。そして、凸部（突起部）が、被装着部の表面（装着者の皮膚表面）に当接する当接部となる。このため、装着具と被装着部の表面との接点を複数の小さな面にして分散させることができる。よって、装着具の被装着部の表面に対向する対向面に、被装着部の表面（装着者の皮膚表面）と接触しない箇所を確保し、適度な空間を複数かつ、広範囲に構成することができる。
この結果、接着剤に頼らずともブラジャー等の下着の圧力のみで凸部が皮膚表面を押圧してしっかりと装着具を保持することができる。また、装着具と、被装着部の表面との間に通気性を確保することができる。また、装着具と、被装着部の表面との間に装着者の体内から放出された汗の流出経路を確保することができる。これらによって、被装着部の表面の発汗蒸発作用を継続的に維持し、「ムレの発生」や「被装着部表面の皮膚疾患の発生」等の問題が発生することを抑制できる。
手段１では「凸部の突出側の端部」が被装着部の表面に当接する当接部を構成し、この当接部の表面積は対向面全体の面積に比べて小さくなる。このため、当接部を被装着部の表面に集中的に当接させることができる。しかも、装着具と被装着部の表面との接触面積が小さくなるため、冬季などに、全体が冷えた装着具が装着されることによって生じ得る不快感の発生などを抑制できる。尚、この点に関する詳細を後述する。
「被装着部」は、例えば、（ａ）乳房の一部若しくは略全体に切除手術が施された後に残った部分の他に、（ｂ）事故等が原因で乳房の一部若しくは略全体を失い、残った部分や、事故等が原因で変形した部分等を指す。
「、二次元方向に連続的に間隔をおいて拡がる複数の凸部」は、例えば最低３個から数百の複数（多数）の突起が二次元的に拡がった集合体であり、「凸部の群」は、凸部が連続して多数立設形成された集合体である。凸部は例えば柱状、弾丸状、丘陵状等の形状等がよい。例えば柱状であれば円柱でも角柱状でもよい。また、すべての凸部が同じ形状でもそうでなくともなくともよい。凸部先端は滑らかなカーブ状でもよく平面形状でもよい。凸部の群とその間に形成される凹部によって凹凸部とされる。これら語句の定義は下記でも同様である。
【０００９】
また、手段２では、前記凹凸部を構成する凹部は上下方向に連通する通路を構成するようにした。
これによって、装着者の体内から汗が放出されたとしても、通路を伝わってこの装着具の下方に向かって効率的に排出させることができる。
また、手段３では、前記装着具本体を前記被装着部に装着した状態を基準として前記対向面の上縁部を含む前記上縁部寄りに、前記凸部を備えない特定部を備え、前記特定部は前記被装着部の表面に当接する当接部を構成するようにした。
これによって、特定部も被装着部の表面に当接する当接部を構成するため、装着者に満足感を与えることができる。蓋し、装着具の上端部側を被装着部の表面に密着させ易くするため、装着者からの見た目上の違和感が感じにくくなるからである。
また、手段４では、前記特定部の前記装着具本体を前記被装着部に装着した状態を基準とする上下幅は、前記対向面の上下幅の１／１０〜５／１０であるようにした。
これによって、特定部の上下幅を特定することで、第３特徴を備える考案の効果をより確実に達成することができる。特定部の上下幅を対向面の上下幅の「１／１０」以上とするには、装着具の上端部側の被装着部の表面に十分に密着させる上で十分な幅を確保するためである。また、特定部の上下幅が対向面の上下幅の「５／１０」を超えると、対向面の被装着部の表面への密着が過剰となり、装着具本体と被装着部の表面との間の通気性を損なう可能性があるからである。
【００１０】
また、手段５では、前記装着具本体を前記被装着部に装着した状態を基準として、少なくとも前記対向面の周縁部を含む前記周縁部寄りにおいて、前記凹凸部を構成する前記凸部の前記対向面からの突出長が、前記対向面の周縁部側に向かって徐々に小さくされるようにした。
これによって、凸部の突出長が周囲に向かって徐々に短くなるため、装着具本体が被装着部の表面と接する近傍において、被装着部の表面にぴたりと貼り付いたような印象を与えることができる。従って、装着具を装着した際の見た目が向上し、装着者に満足感を与えることが容易である。
また、手段６では、前記周縁部は上縁部であるようにした。
このように装着具本体の上部側において、凸部の突出長が上方にいくに従って徐々に短くなるため、特に、手段６の装着具では、対向面の上縁部を含む前記上縁部寄りにおいて、凹凸部を構成する凸部の対向面からの突出長が、対向面の上縁部側に向かって徐々に小さくなり、この突出長が対向面の上縁部の近傍で「０」になることがより好ましい態様である。装着具の上端側が被装着部の表面に略完全に密着されて装着者からの見た目上の違和感がより一層感じにくくなるからである。
【００１１】
また手段７では、乳乳房の切除手術が施された部位若しくは外傷を負った部位によって構成される被装着部に対して装着される装着具において、前記乳房の全体形状若しくは一部形状を模した外形を備える装着具本体と、前記装着具本体の前記被装着部に向く面に貼着される中間体とを備え、前記中間体の前記被装着部の表面に対向する対向面には、二次元方向に連続的に間隔をおいて拡がる複数の前記凸部の群と、前記対向面において前記凸部が突出しない箇所によって構成される凹部とからなる凹凸部が形成され、前記凸部の突出側の端部が前記被装着部の表面に当接する当接部を構成するようにした。
これによって、適宜装着具本体のみを交換したり、従来品（対向面に凹凸部を備えない他の装着具）を接続部に接続することができ、従来品との所有者にも、本考案の恩恵を与えることができる。
中間体は被装着部と装着具本体の間に配設される部材である。装着具本体と同質でなくともよいが、同質の素材であることがよい。中間体と装着具本体との接続面は互いに滑らかで密着できることがよい。中間体と装着具本体とをそれぞれの粘着性に基づいて貼着してもよく、例えば接着剤を使用して接着してもよい。
また手段８では、前記中間体は薄板状で前記装着具本体の外形と同一又は前記外形と略同一の外形に構成されているようにした。
これによってなるべく全体として１つの乳房のように装着具本体と中間体とを接続することができる。
また、手段９では、前記凹凸部を構成する前記凸部の前記対向面からの突出長が、１〜２５ｍｍから選択される長さであるようにした。
これによって、装着具と、被装着部の表面との間に充分な空間を確保できるため、本考案の目的（通気性の確保）をより確実に達成することができる。
また、手段１０では、前記凹凸部を構成する隣接する前記凸部の頂点の間隔は、１ｍｍ以上とし、前記凸部は前記対向面に３つ以上設けられているようにした。
これによって、装着具と、被装着部の表面との間に装着者の体内から放出された汗の流出経路を確実に確保することができる。また、最低３つ以上あれば人体表面との空間が保持できるからである。
また、手段１１では、前記装着具は、ゴムを用いた成形体で構成されるようにした。
装着具はゴムを用いた成形体で構成されるため、使用感、装着感がよい。
また、手段１２では、前記ゴムは、シリコーンゴムであるようにした。
シリコーンゴムを用いた成形体で構成されるため、使用感、装着感が更によい。また、多くの人工乳房で使用されるシリコーンゴムは自己接着性を備えるため、装着具を確実に接着することができる。
【００１２】
上述の手段１〜手段１２に示した考案は、任意に組み合わせることができる。
例えば、手段１に示した考案の全てまたは一部の構成に手段２以降の少なくとも１つの考案の少なくとも一部の構成を加える構成としてもよい。特に、手段１に示した考案に、手段２以降の少なくとも１つの考案の少なくとも一部の構成を加えた考案とするとよい。また、手段１から手段１２に示した考案から任意の構成を抽出し、抽出された構成を組み合わせてもよい。本願の出願人は、これらの構成を含む考案について権利を取得する意思を有する。
【考案の効果】
【００１３】
本考案によると、装着時に通気性を確保可能な装着具を得ることができる。
【図面の簡単な説明】
【００１４】
【図１】女性の乳房の被装着部に本考案の実施の形態１の装着具を装着し、ブラジャーで固定した状態を説明する説明図。
【図２】同じ実施の形態１の装着具と、被装着部を示す縦断面図（図５（ａ）の１−１断面に相当）。
【図３】同じ実施の形態１の装着具の前方から目視した斜視図。
【図４】同じ実施の形態１の装着具の後方から目視した斜視図。
【図５】同じ実施の形態１において（ａ）は装着具の背面図、（ｂ）図５（ａ）の一部拡大図。
【図６】図５（ａ）の１−１断面における装着具を女性の乳房の被装着部に装着する様子を示す部分拡大断面図。
【図７】実施の形態２の装着具を女性の乳房の被装着部に装着した状態の部分拡大断面図。
【図８】実施の形態３を示す縦断面図。
【図９】他の実施の形態において（ａ）は変形例２を示す縦断面図、（ｂ）は変形例３を示す縦断面図、（ｃ）は変形例４を示す斜視図。
【考案を実施するための形態】
【００１５】
本考案の実施形態について、図面を用いて説明する。尚、本考案にかかる実施の形態は、下記の実施形態に限定されるものではなく、本考案の技術的範囲に属する限り種々の形態を採りうる。
（１）実施の形態１
図１〜図７に基づいて、実施の形態１の装着具１０について説明する。
図２及び図３に示すように、装着具１０は対象となる女性の乳房から切除された部分（以下、「切除部」という）に模した疑似乳房である。装着具１０は乳房の質感に近いシリコーンゴムを用いた一体成形体によって構成されている。
【００１６】
装着具１０は装着具本体２０と、この装着具本体２０に設けられた凹凸部３５とを備える。
装着具本体２０は女性の乳房と同様に椀形状の形態を有し先端に乳首を摸した乳首様突起２０ａを備えている。装着具本体２０の背面は後述する被装着部５０の表面５１に対面する背面部２１とされている。凹凸部３５は背面部２１に形成される。凹凸部３５は多数の凸部３０と、凸部３０に対して相対的に窪んだ凹部３２とから構成される。凸部３０と凹部３２に関しより詳しく説明する。
図２及び図４等に示すように、凸部３０は装着具本体２０の背面部２１に後方に向かって突出形成されている。各凸部３０は同形状の円柱形状とされ、先端の円形の平坦部が後述する被装着部５０の表面５１に当接する突端部３１とされている。凸部３０は背面部２１の面方向に対して略垂直な方向に突出している。本実施の形態１では各凸部３０は直径ｄは約６ｍｍとされ、背面部２１からの突出量（突出長）ｈは約１ｍｍとされている。背面部２１に立設された凸部３０は計１４０本の円柱形状を備える。本実施の形態１では凸部３０の背面部２１からの突出量（突出長）ｈは、略１ｍｍとされている。
後述する被装着部５０に装着した際の上下方向に左右に隣り合う凸部３０の中心間の間隔は１５ｍｍとされている。
多数の凸部３０は背面部２１において整然と連続的に配置されている。具体的には例えば図５（ａ）に示すように、横方向に等間隔に凸部３０は直列に配置され、本実施の形態１では１１の行が配置され、ある列を構成する凸部３０は上下方向においては隣接する上下の列の２つの凸部３０の中央に配置されるように、つまり、横方向に７．５ｍｍずれるように配列されている。これによって上下方向に凸部３０が隣接しないこととなる。
【００１７】
凸部３０の周囲には凹部３２が形成されている。凹部３２は背面部２１の凸部３０が形成されていない平面で構成された通路部である。凹部３２は凸部３０の全周方向（四方八方）に連通している。
図４及び図５（ａ）（ｂ）に示すように、背面部２１の上縁部２１ａ寄りには凸部３０が設けられていない平面で構成された領域（以下、平面領域３３という）が設けられている。平面領域３３は中央の上下幅の大きな領域から左右に細い幅で装着具本体２０外周に沿って下がる略逆Ｕ字状となる領域である。
【００１８】
次に、このように構成される装着具１０の使用方法について効果とともに説明する。
図１及び図６に示すように、本装着具１０は、凸部３０の突端部３１Ｔを被装着部５０の表面５１に当接させた状態で、ブラジャー７０によって押さえ込まれた状態で、被装着部５０に装着される。本装着具１０は、十分な弾性と己接着性を備えるシリコーンゴムで構成されているため、平面領域３３を被装着部５０の表面５１方向に押すことで、当該平面領域３３の大部分が被装着部５０の表面５１に当接することになる。特に、平面領域３３のうち、背面部２１の上縁部２１ａ寄りにおいて、被装着部５０の表面５１に確実に当接することになる。平面領域３３によって使用者の肌への密着性を高くし自身の肌との間に隙間がなるべくないようにすることで使用した際の違和感を軽減することができる。
また、装着者が装着状態で装着具１０を上方から観察しても、見た目上の違和感が感じにくくなり、装着者に満足感を与えることができる。
実施の形態１の装着具１０によると、装着具本体２０の背面部２１（対向面）に、間隔をおいた複数の凸部３０（複数の突起形状）を具備しつつ構成される凹凸部３５を備える。そして、この凹凸部３５を構成する凸部（突起部）３０が、被装着部５０の表面（装着者の皮膚表面）５１に当接する当接部を構成する。このため、被装着部５０の表面５１との接点を、装着具本体２０の背面部２１全体（１つの大きな面）ではなく、複数の小さな面（凸部３０の突端部３１Ｔの端面）にして、分散させることがきる。よって、装着具１０の被装着部５０の表面５１に対向する対向面（背面部２１）に、被装着部５０の表面（装着者の皮膚表面）５１と接触しない箇所を確保し、適度な空間を複数かつ、広範囲に構成することができる。
この結果、装着具１０と、被装着部５０の表面５１との間に通気性を確保することができる。しかも、装着具１０と、被装着部５０の表面５１との間に装着者の体内から放出された汗が流出経路を例えば図５（ａ）の流出経路Ｋ１、Ｋ２のように伝わって排出できるため「ムレの発生」や「被装着部５０の表面５１に皮膚疾患の発生」などの問題が発生することを抑制できる。尚、図５（ａ）において流出経路Ｋ１、Ｋ２は一例である。
【００１９】
以下、主として効果について従来の問題点との関係で更に詳しく説明する。
従来から、多くの人工乳房（装着具）は、「軟質のシリコーンゴム」等、通気性が無いか、通気性が著しく乏しい素材を用いて構成されている。そして、従来の人工乳房（装着具）では、本考案の人工乳房（装着具１０）のように、「背面部２１に凹凸部３５による凹凸構造」を備えない。このため、従来の人工乳房（装着具）では、通気性に乏しい「軟質のシリコーンゴム」で構成される人工乳房（装着具）が被装着部５０の表面（皮膚表面）５１の広範な部位と密着する、この場合、被装着部５０の表面（皮膚表面）５１にあるエクリン汗腺を用いた発汗蒸発作用を大幅に阻害するという問題を有していた。
そして、発汗蒸発作用を大幅に阻害すると、被装着部５０の表面（皮膚表面）５１にムレを生じ易くなるが、この表面（皮膚表面）５１のムレは、当該表面（皮膚表面）５１の常在菌などの繁殖という衛生面や、皮膚の構造や機能面からも、様々な皮膚疾患の要因になる可能性が非常に高い。これに対して、本考案の特徴的構成（背面部２１に複数の凸部３０を設け、表面（皮膚表面）５１との接触面積を少なくするという構成）によると、皮膚の衛生面や構造や機能を害することに基づき生じ得る「医学的な皮膚表面」の疾患防止にも効果が期待でき、かつ装着具）の装着者本人の皮膚に異物が密着し、接触しているという、精神的負担軽減による「不快感の軽減」にも効果が大きい。
特に、装着具１０では、凹凸部３５を構成する凹部３２は、装着具本体２０を被装着部５０に装着した状態を基準とする上下方向に連通し、凹部３２の下方に向かって開放されている。このため、本装着具１０では、凹部３２が上下方向に連通するため、たとえ、装着者の体内から汗が放出されたとしても、この装着具１０の下方に向かって効率的に排出することができる点で大きな意義を有する。
つまり、発汗により放出された汗を、装着具１０の被装着部５０の表面（皮膚表面）５１との接触面から効率よく排出でき、かつ、通気性も確保できる事から、発汗による体温調整という、基本的な人体の生理機能を、可能な限り正常に行う事ができるため、その結果、皮膚表面の「不快感」も防止できるのである。
更に、シリコーンゴムなどで形成された装着具（人工乳房）は、材質の熱伝導性の観点から、季節や外部環境によってはその装着した瞬間の、体温と人工乳房との温度差で、１種のヒートッショクを起こしてしまう。ところが、本考案によると、装着具１０と、被装着部５０の表面（皮膚表面）５１との接点の面積を、複数の点に近い状態にし、面積的に減少させ、かつ、広範囲に分散させる効果により、そのヒートッショクも最小限に抑えることができる。
【００２０】
また、装着具１０では、胸部の下着装着との併用によりこの下着装着圧が、装着具１０の頂点（図１〜図３等に示す乳首様突起２０ａを参照）にかかる。そして装着具１０によりその圧力が、広範囲に分散された多数の凸部３０の突端部３１Ｔのみにかかるために、最終的に、被装着部５０の表面（皮膚表面）５１との接触面として凹凸の頂点（凸部３０の突端部３１Ｔ）に、装着圧が局所的に高まり、被装着部５０の表面（皮膚表面）５１上に、広く浅く、点状に分散され、若干程度埋没する。但し、この埋没深度の程度は、胸部下着の装着圧力・サイズ調整などで対応しなければならない。そして、この局所的かつ広範囲に分散された皮膚への埋没による接触形状が、一種の広範囲のスパイク構造になるため、医療用接着剤などを用いなくても、汗による滑りなどを防止できるため、運動時等の装着具１０のズレを防ぐ効果も高い。つまり、装着具１０をブラジャー等の下着で押さえたときに、凸部３０の突端が小さな面積で当接し、当該突端から当該装着具１０に、それよりも大きな面積（例えば、凸部３０を備えない装着具の全面）が当接する場合よりも、高い圧力が負荷される。このため、運動時等に装着具１０が不用意にズレを生ずることを防止できる。
【００２１】
従来から、装着具（人工乳房）用の装着剤についても、多くが、医療用とされているが、医療用であるにもかかわらず、その成分自体にも、脱着や、装着具（人工乳房）をメンテナンスする場合の専用の溶剤にも、化学薬品などが使用され、それは、敏感肌などのため、皮膚表面への装着時に非常に大きな負担になっているのが現状である。
また、その装着の際の所要時間自体も、執拗な接着剤の表面からの、溶剤による除去時間が時間が必要となるが、その溶剤で拭き取る際にも発生する「摩擦抵抗」による、皮膚表面の炎症などの発生が決して少なくないため、これが装着者には大きな負担となる。従って、従来の装着具（人工乳房）の装着者にとっては、大きなストレスであった。
一方で、上記のような「凸部３０によるスパイク構造」とすれば、胸部表面は接触細胞の密度が、平均的に特に高い場所ではないためスパイク形状としての認識を感覚的に識別しにくいわけである。
装着具１０は上記のような皮膚表面全体をシリコンゴム等で被覆し、密着された場合のストレスや装着剤による皮膚表面への装着による様々な負担を大幅に解消する。
【００２２】
（２）実施の形態２
実施の形態２は実施の形態１のバリエーションである。上記実施の形態１と同様の構成については同じ番号を付して詳しい説明は省略する。
図７に示すように、実施の形態２の装着具１０においては、背面部２１の上縁部２１ａ寄りにおいて、当該上縁部２１ａに近づくほど、凸部３０の突出長を小さくするように構成されている。つまり、当該上縁部２１ａ寄りにおいては、例えば、上縁部２１ａから離れた位置の凸部３０（ｋ）、それより上縁部２１ａに近い位置の凸部３０（ｊ）、それより上縁部２１ａに更に近い位置の凸部３０（ｉ）の順に突出長が小さくなる。そして、最も上縁部２１ａ寄りの凸部３０（ｈ）で突出長が最低となるようにする。
このような態様によると、装着者が、上の方から見たときに、最上部において凸部３０の突出長が最小となる。
このように構成すれば、背面部２１の上縁部２１ａ付近でも凸部３０が形成されるため、装着具１０の被装着部５０への保持力が上縁部２１ａ付近でも他の部分と同様に得られ、一方で装着者の見た目上の違和感も感じにくくなる。特にもっとも上縁部２１ａ寄りで突出量が０あるいは０に近くなると、装着者の満足感を一層高めることができる。
【００２３】
（３）実施の形態３
次に、実施の形態３について説明する。上記実施の形態１と同様の構成については同じ番号を付して詳しい説明は省略する。
図８に示すように、実施の形態３の装着具４０は装着具本体４１と中間体としての中間プレート４２とから構成されている。実施の形態３の装着具４０は実施の形態１の装着具１０を２つに分割したような形態とされる。但し、実際に分割するのではなく別体で成形される。
装着具本体４１は実施の形態１の装着具１０と同様いわゆる「人工乳房」であってシリコーンゴムを用いた一体成形体によって構成されている。実施の形態１とは異なり被装着部に向く接着面４１Ａは滑らかに構成されている。
中間プレート４２は略円板形状で肉厚約５ｍｍに構成されている。中間プレート４２の背面部４２Ａには実施の形態１の装着具本体２０の背面部２１と同様に、多数の凸部３０が突出形成されている。中間プレート４２の外形は装着具本体４１の背面部４２Ａ寄りの外形と同形状とされている。背面部４２Ａの上方寄りには実施の形態１と同様の略逆Ｕ字状の領域となる部位２１ｂ（凸部３０が全く設けられていない平面領域３３）が形成されている。中間プレート４２の前面部４２Ｂは滑らかな平面に構成されている。
実施の形態３の装着具３０は装着具本体４１接着面４１Ａと中間プレート４２の前面部４２Ｂとをシリコーンの粘着性を利用して密着させる。そしてその状態の装着具３０を被装着部５０の表面５１に当接させた状態で、図１のようなブラジャー７０によって、押さえるように保持する。
実施の形態３では実施の形態１の効果に加え、複数の装着具本体４１を任意に取り替えて使用したり、従来品に係る装着具の所有者も、本考案による恩恵を得ることができる。また、中間プレート４２は装着具本体４１と接続部分でほぼ同じ外形とされるため、全体として装着具４０としての一体感も得られる。
【００２４】
本考案の範囲は前述の実施の形態や変形例に示す範囲に限定されず、本考案の範囲内で以下のように種々の変形例を例示することができる。
・上記実施の形態１では一例として凸部３０を１４０本形成する例であったが、この本数は装着具本体２０の大きさや凸部３０の直径、平面領域３３の有無や背面部２１の大きさによって変更されるべき数値である。
・装着具本体２０の外形は、装着者の乳房において切除された箇所の形状に合わせて適宜変更して作製することができる。いくつかのパターンを前もって用意してもよい。
・上記実施の形態１では、装着具本体２０の背面部２１の一部から凸部３０を排除した平面領域３３を上部寄りに設けるようにしたが、周縁と周縁寄りの全周に平面領域３３を設けるようにしてもよい。また、平面領域３３を設けずに装着具本体２０の背面部２１の全体に凸部３０を設けてもよい。
・図示では凸部３０のの突端部３１Ｔの角が９０度で角の立った円柱形状として表現したが、この部分を面取りして滑らかにしてもよい。
・実施の形態１では、便宜上、装着具本体２０の背面部２１と、被装着部５０の表面５１を略平面として説明したが、平面でなくともよい。被装着部５０の形状に合わせて平面以外の形状に構成するようにしてもよい。例えば、被装着部５０の表面５１が胸部前方に向かって隆起する隆起部である場合には、装着具本体２０の背面部２１は、当該装着具本体２０を被装着部５０が表面５１に装着することが可能なような凹形状（隆起部と略凹凸が反転した凹形状）に構成するようにしてもよい。
・本実施の形態では、多数の凸部３０が略同形状で略等間隔に整然と配置される態様を例示しているが、整然な配置でなくともよい。例えば、多数の凸部３０が背面部２１から散点状にランダムに突出していてもよい。また、凸部３０は同一形状ではなく形状が異なる凸部３０を備える構成であってもよいし、凸部３０の配置態様等も特に問わない。
・上記実施の形態において凸部３０と凹部３２（凹凸部３５）の断面形状は、各実施の形態に示す形状に限定されない。つまり、接続具（人工乳房）１０、１０Ｂと、被装着部５０の表面（皮膚表面）５１の接触面に、汗の流出経路と通気性が確保出来れば、凹凸の形状、大きさ、並びに設置密度は問わない。
・実施の形態３における上記中間プレート４２の外形形状や厚みは一例である。
【００２５】
凸部３０Ａの形状は上記実施の形態の形状に限定されない。例えば、図９（ａ）に示すように、凸部３０Ａの断面形状を先端が略円弧状に設けられた形状とし、凹部３２Ａの断面形状を凸部３０Ａと凹凸が反転した凹形状とするようにしてもよい。また、図９（ｂ）に示すように、凸部３０Ｂの断面形状を先端で尖る略山形状とし、凹部３２Ｂの断面形状を凸部３０Ｂと凹凸が反転した凹形状とするようにしてもよい。
但し、図９（ｂ）に示す態様では装着者が、先端で尖る略山形状の凸部３０Ｂが被装着部５０の表面（皮膚表面）５１に当たる際に違和感を感ずる可能性があるため、図９（ａ）に示す態様がより好ましい態様であると考えられる。
更に、本考案の凸部３０、３０Ａ、３０Ｂは、対向面（背面部）に散点状に配置されるものであってもいいし、図９（ｃ）に示すように、所定方向に連続する断面形状が略台形の突条や、断面形状が波型の（例えば、建築資材の防音材のような形状）の突条等によって構成してもよい。尚、図９（ｃ）に示す態様において、突条が略鉛直方向に設けられると、汗を排出しやすくなる。
・上記実施の形態で、連接する凹凸部３５の間隔を１ｍｍ以上とすることが特によい。対向面（背面部）表面に、十分な幅の排出経路を構成するためである。また、凹凸部３５の高低差は１ｍｍ以上２５ｍｍ以下とすることがよい。高低差が１ｍｍ未満であると、対向面（背面部）表面と、被装着部５０の表面（皮膚表面）５１との間に良好な通気性を確保できない可能性がある。また、高低差が２５ｍｍを超えると、装着具１０、１０Ｂを被装着部５０の表面（皮膚表面）５１に装着した際に、装着具１０、１０Ｂの表面（皮膚表面）５１からの突出量が過大となり、見た目が悪くなるからである。
・接続具（装着本体）の材質は問わず、種々選択することができる。
・各実施の形態の装着具１０、１０Ｂは、医療用接着剤を用いることなく使用してもよいし、必要に応じて医療用接着剤を用いてもよい。
【００２６】
本願考案は上述した実施の形態に記載の構成には限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または分割出願等において権利取得する意思を有する。
また、意匠出願への変更出願により、全体意匠または部分意匠について権利取得する意思を有する。図面は本装置の全体を実線で描画しているが、全体意匠のみならず当該装置の一部の部分に対して請求する部分意匠も包含した図面である。例えば当該装置の一部の部材を部分意匠とすることはもちろんのこと、部材と関係なく当該装置の一部の部分を部分意匠として包含した図面である。当該装置の一部の部分としては、装置の一部の部材としてもよいし、その部材の部分としてもよい。
【符号の説明】
【００２７】
１０、１０Ｂ、３０…装着具、２０、４１…装着具本体、３０…凸部、３２…凹部、３５…凹凸部、４２…中間プレート、５０…被装着部。
【図１】
0003235605.tif 000003
【図２】
0003235605.tif 000004
【図３】
0003235605.tif 000005
【図４】
0003235605.tif 000006
【図５】
0003235605.tif 000007
【図６】
0003235605.tif 000008
【図７】
0003235605.tif 000009
【図８】
0003235605.tif 000010
【図９】
0003235605.tif 000011